(57)【要約】      （修正有）【課題】外筒が強固になることにより、内、外筒間の隙間が狭くても可能であると共に容器自体の直径も小さくすることができ、又、光の拡散も十分となり、透過度も高く、深みのある透明性が示される携帯用飲料容器を提供する。【解決手段】有底筒状の金属製の内筒２と、この内筒２上端にて結合し、内筒胴部２ａ及び内筒底部と所定の間隔を隔てた外筒胴部３ａ及び外筒底部を有する金属製の外筒３とからなる。外筒３の外筒胴部３ａは、横断面多角形による多辺形状に形成すると共にこの多辺形状の各辺３ａ１を内側に向けて湾曲する。又、筒３の外筒胴部３ａを形成する多辺形状の各辺３ａ１の外面には、研磨後に透明度の高いアクリル樹脂塗料が塗布される。【選択図】図３
0003159617.tif 000002
【実用新案登録請求の範囲】
【請求項１】
有底筒状の金属製の内筒（２）と、この内筒（２）上端にて結合し、内筒胴部（２ａ）及び内筒底部と所定の間隔を隔てた外筒胴部（３ａ）及び外筒底部を有する金属製の外筒（３）とからなる携帯用飲料容器（１）に於いて、上記外筒（３）の外筒胴部（３ａ）は、横断面多角形による多辺形状に形成すると共にこの多辺形状の各辺（３ａ１）を内側に向けて湾曲することを特徴とした携帯用飲料容器。
【請求項２】
外筒（３）の外筒胴部（３ａ）を形成する多辺形状の各辺（３ａ１）の外面には、研磨後に透明度の高いアクリル樹脂塗料が塗布されることを特徴とした請求項１に記載の携帯用飲料容器。
【考案の詳細な説明】
【技術分野】
【０００１】
本考案は、特に子供や高齢者等が利用可能な携帯用飲料容器に関するものである。
【背景技術】
【０００２】
従来、携帯用飲料容器としては、金属製の内筒（内瓶とも称す。）と金属製の外筒（内瓶とも称す。）との間の隙間を真空にして内筒と外筒との間の隙間を略１ｍｍにして外筒の外径を５５ｍｍ以下とする構造の携帯用の金属製魔法瓶が特開２０００−１４５７５号公報として存在する。
【先行技術文献】
【特許文献】
【０００３】
【特許文献１】特開２０００−１４５７５号公報
【考案の概要】
【考案が解決しようとする課題】
【０００４】
ところが、この種の携帯用飲料容器である金属製魔法瓶では、内筒と外筒との間の隙間を略１ｍｍにすることや外筒の外径を５５ｍｍ以下にすることは、単に、金属製魔法瓶の製造工程中、より短い隙間とするか、より小さい外径にするかを競いつづけた設計上の問題であり、技術的根拠なく具体性に乏しいという問題点があった。
【０００５】
又、子供や高齢者等では、握力が弱いために、例え握ることができたとしても外筒は円形で表面が滑りやすく、特に円形の表面に水滴等がわずかに付着しても簡単に滑って、持ち運びに不便であるという問題点があった。
更に、外筒の表面の傷や汚れを抑えるために、不透明のアクリル樹脂塗料を塗っていたために、光の透過度が低く、全体的にくすんだ色となるという問題点があった。
【課題を解決するための手段】
【０００６】
本考案は、有底筒状の金属製の内筒２と、この内筒２上端にて結合し、内筒胴部２ａ及び内筒底部と所定の間隔を隔てた外筒胴部３ａ及び外筒底部を有する金属製の外筒３とからなる携帯用飲料容器１に於いて、上記外筒３の外筒胴部３ａは、横断面多角形による多辺形状に形成すると共にこの多辺形状の各辺３ａ１を内側に向けて湾曲する構成としている。又、筒３の外筒胴部３ａを形成する多辺形状の各辺３ａ１の外面には、研磨後に透明度の高いアクリル樹脂塗料が塗布される構成としている。
【考案の効果】
【０００７】
本考案は、従来の問題点を解決したものであって、外筒が強固になることにより、内、外筒間の隙間が狭くても可能であると共に容器自体の直径も小さくすることができる。又、光の拡散も十分となり、透過度も高く、深みのある透明性が示される携帯用飲料容器を提供するにある。
【図面の簡単な説明】
【０００８】
【図１】本考案実施例の正面図。
【図２】図１のＡ−Ａ線断面図
【図３】図１のＢ−Ｂ線拡大断面図
【図４】図３のＣ部拡大図
【考案を実施するための形態】
【０００９】
携帯用飲料容器１は、ステンレス等の金属製の内筒２及び内筒２と同一材料であるステンレス等の金属製の外筒３とからなる容器本体１ａと、容器本体１ａの口元内側に装着する有底筒体４と、容器本体１ａの口元外側に螺着する蓋体５とから構成されている。
【００１０】
容器本体１ａの内筒２は、図２に示すように、ステンレス等の金属材料にて有底筒状に形成されており、内筒胴部２ａと、この内筒胴部２ａの上端を上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。
【００１１】
この内筒２の内筒垂直部の内側には、後述の有底筒体４の突起片を下側に通過させて上方への移動を規制する小さな環状突起が設けられている。
この内筒２の厚みは、約０．３ｍｍである。
【００１２】
容器本体１ａの外筒３は、図２に示すように、内筒２と間隔を隔てて内筒２の底を囲む底部と、内筒２の内筒胴部２ａを囲む外筒胴部３ａと、内筒２の内筒胴部２ａ上方を囲むように外筒胴部３ａの上端より上方に延びた外筒小径部と、この外筒小径部の上端より更に内側にすぼめてその先端が上方に延びた口元接合部とが一体的に形成されている。
この外筒３の底部と外筒胴部３ａとは、同一材料にて別部材として結合されているが、底部と外筒胴部３ａとを同一部材で一体化に形成しても何ら支障をきたすものではない。
【００１３】
容器本体１ａの外筒３は、握りやすいよう外筒３の大きさが約６７ｍｍ以下に形成されている。
外筒３の外筒胴部３ａは、図３及び図４に示すように、横断面多角形による多辺形状に形成されている。しかもこの多辺形状の各辺３ａ１は、図４に示すように、容器本体１ａの中心に向けて湾曲されている。この外筒胴部３ａを形成する辺３ａ１の数は、外筒３の大きさが約６７ｍｍ以下の場合、２８個〜３６個特に３２個が最良である。
【００１４】
この外筒３の厚みは、内筒２の厚みと同一であって、約０．３ｍｍであり、外筒胴部３ａの内筒２に最も近い距離は、約３．５ｍｍとし、内筒２に最も遠い距離は、約３．８２ｍｍとしている。
この外筒胴部３ａが、図３及び図４に示すように、多辺形状となっているために、円形状に比べて外圧に対する強度が大きく増大することとなり、外筒３の厚みを薄くすることができると共に内筒２との距離を短くしても内筒と外筒との間の隙間の真空を保持できることとなり、容量を小さく変化させることなく、容器本体１ａの大きさを約５０ｍｍ〜６０ｍｍ程度に小さくして、握りやすくすることもできる。
【００１５】
又、外筒胴部３ａには、その外表面が研磨された後に、透明度の高いアクリル樹脂塗料の層ｄが均一に塗布されている。
これにより外筒胴部３ａの外表面は、従来のように、反射率が悪くくすんでみえていたものが、反射率が高くなってキラキラと鮮やかに目視されて見栄えにも優れたものとなっている。
【００１６】
外筒３の外筒小径部の外側には、後述の蓋体５の雌ネジを螺着する雄ネジが刻設されている。
容器本体１ａの外筒３の口元接合部と内筒２の内筒垂直部の上端とは、重ね合わされて溶接され、容器本体１ａの口元とされており、この外筒３と内筒２との隙間は、真空とされている。
【００１７】
有底筒体４には、図２に示すように、上部に突出部と、この突出部の下端に容器本体１ａの口元内外を跨ぐ下向き開放の凹部と、この凹部の下端よりわずかに内側で下方に延びた垂下部と、この垂下部の下端で有底筒体４の底となる底板部とが一体的に形成されている。
【００１８】
有底筒体４垂下部の下部外側には、上方より容器本体１ａの環状突起を飛び越えて、この環状突起の下壁と接触する突起片が設けられている。
この突起片は、有底筒体４の垂下部の外周壁に適宜の間隔を隔てて複数設けられている。この突起片が一つの環状につながったものでなく、適宜の間隔を隔てて複数設けられているために、容器本体１ａの環状突起に対して上下の飛び越えを非常に容易にすることができている。
【００１９】
有底筒体４の底板部には、垂下部４ｃの下端内壁周りに適宜の間隔を隔てて複数の飲み口が設けられている。
この飲み口の一つは、空気抜き口として用いられている。
【００２０】
蓋体５は、図２に示すように、容器本体１ａの口元に被さった有底筒体４を上方より覆う蓋部材と、蓋部材の上端を覆う蓋カバーと、有底筒体４の突出部内壁面又は上面と密に接触する内環状パッキンとからなっている。
【００２１】
蓋体５の蓋部材には、内壁下端に容器本体１ａの外筒３に設けた雄ネジに螺着する雌ネジを刻設した外垂下部と、この外垂下部の上端より内側に延びた水平壁部と、この水平壁部の先端より下方に延びた内垂下壁部と、この内垂下壁部の下端より内側に延びた底壁部とが一体的に形成されている。
【００２２】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２３】
１…携帯用飲料容器
１ａ…容器本体
２…内筒
２ａ…内筒胴部
３…外筒
３ａ…外筒胴部
３ａ１、３ａ１…辺
４…有底筒体
５…蓋体
ｄ…層
【図１】
0003159617.tif 000003
【図２】
0003159617.tif 000004
【図３】
0003159617.tif 000005
【図４】
0003159617.tif 000006